(57)【特許請求の範囲】
【請求項１】
レンズ本体にカバーを固定するためのテレビレンズ装置のカバー固定機構において、前記レンズ本体に設けた固定の第１のフックと、前記カバーに設けた可動の第２のフックと、前記第１のフックと前記第２のフックを１つの動作で係合又は係合解除するレバーとを備え、前記第２のフックの一端部を前記レバーにその回転中心の周りに回転するように係合し、前記第２のフックの他端部を前記第１のフックに係合又は係合解除可能とし、前記第２のフックの他端部を前記第１のフックから離れるように案内する案内部を設け、前記第２のフックを前記第１のフック側に付勢する第１の付勢手段と、前記レバーを開方向に付勢する第２の付勢手段と、前記レバーが死点を通過する際に発生する前記第２のフックの歪張力とを利用して、前記第１のフックと前記第２のフックとを係合したことを特徴とするテレビレンズ装置のカバー固定機構。
【請求項２】
前記第１のフックと前記第２のフックを係合したときに前記レバーを閉位置に保持する手段を設けた請求項１に記載のテレビレンズ装置のカバー固定機構。
【請求項３】
前記第１のフックと前記第２のフックを係合しないときに前記レバーを開位置に保持する手段を設けた請求項１に記載のテレビレンズ装置のカバー固定機構。
【請求項４】
前記第１のフック、前記第２のフック及び前記レバーを前記レンズ本体又は前記カバー内に埋め込むように設けた請求項１に記載のテレビレンズ装置のカバー固定機構。
【請求項５】
前記第１のフック、前記第２のフック及び前記レバーを前記レンズ本体の凹部に設けた請求項４に記載のテレビレンズ装置のカバー固定機構。
【請求項６】
前記第１のフック、前記第２のフック及び前記レバーを前記カバーの凹部に設けた請求項４に記載のテレビレンズ装置のカバー固定機構。
【請求項７】
前記凹部は前記カバーの取っ手とした請求項６に記載のテレビレンズ装置のカバー固定機構。
【発明の詳細な説明】
【０００１】
【発明の属する技術分野】
本発明は、レンズ本体の鏡筒部、操作部等を保護するためのテレビレンズ装置のカバー固定機構に関するものである。
【０００２】
【従来の技術】
従来のテレビレンズ装置は、図１２に示すようにレンズ本体１の前方に角筒状のカバー２を左右のつまみ付きねじ３により固定している。図１３に示すように、レンズ本体１はカバー２を支持するための支持部１ａ〜１ｃと、レンズ群を移動自在に内蔵した鏡筒部１ｄと、レンズ群を調整するため操作盤１ｅと、つまみ付きねじ３のねじ部３ａを螺合する雌ねじ部１ｆとを有し、カバー２はつまみ付きねじ３のねじ部３ａを挿通する挿通孔２ａを有し、カバー２を軸線方向に移動してレンズ本体１に抜き挿している。
【０００３】
この種のテレビレンズ装置の操作者は、操作盤１ｅを操作したりレンズ群を補修したりする際にカバー２をレンズ本体１から取り外す必要がある。特に、近年ではテレビレンズ装置の高度化に伴ってズーム速度の特性、フォーカスの敏感度等を設定する機会が多いため、カバー２の脱着の機会も多くなっている。
【０００４】
【発明が解決しようとする課題】
しかしながら上述の従来例では、つまみ付きねじ３がカバー２の表面から突出しているため、操作者や通行者の衣服等がつまみ付きねじ３のつまみ部２ｂに引っ掛かることがある。このため、テレビレンズ装置が移動したり転倒したりして、設定済みの角度が狂ったり映像が乱れたり、装置が破損したりするという問題点がある。
【０００５】
また、カバー２をつまみ付きねじ３により固定しているため、カバー２を着脱する際につまみ付きねじ３を何回か回転させる必要がある。従って、カバー２を着脱するための操作が煩わしい上に、多くの時間が必要となり、更にはつまみ付きねじ３の締め忘れや締め不足が発生するという問題点もある。
【０００６】
本発明の目的は、上述の問題点を解消し、カバーを迅速に着脱し得るテレビレンズ装置のカバー固定機構を提供することにある。
【０００７】
【課題を解決するための手段】
上記目的を達成するための本発明に係るテレビレンズ装置のカバー固定機構は、レンズ本体にカバーを固定するためのテレビレンズ装置のカバー固定機構において、前記レンズ本体に設けた固定の第１のフックと、前記カバーに設けた可動の第２のフックと、前記第１のフックと前記第２のフックを１つの動作で係合又は係合解除するレバーとを備え、前記第２のフックの一端部を前記レバーにその回転中心の周りに回転するように係合し、前記第２のフックの他端部を前記第１のフックに係合又は係合解除可能とし、前記第２のフックの他端部を前記第１のフックから離れるように案内する案内部を設け、前記第２のフックを前記第１のフック側に付勢する第１の付勢手段と、前記レバーを開方向に付勢する第２の付勢手段と、前記レバーが死点を通過する際に発生する前記第２のフックの歪張力とを利用して、前記第１のフックと前記第２のフックとを係合したことを特徴とする。
【０００８】
【発明の実施の形態】
本発明を図１〜図１１に図示の実施例に基づいて詳細に説明する。
図１はテレビレンズ装置の外観斜視図であり、テレビレンズ装置の外面は軸線に対して左右対称となっているので、符号は片側にだけに付している。レンズ本体１１にはカバー１２が固定機構１３を介して固定されている。カバー１２の側面１２ａには取っ手を形成するための取っ手溝１４が設けられており、固定機構１３は取っ手溝１４の内部にカバー１２の側面１２ａから突出しないように設けられている。
【０００９】
図２は図１のＡ−Ａ線に沿った断面図、図３は図２のＢ−Ｂ線に沿った断面図であり、レンズ本体１１には小径部２０ａと係止部２０ｂを有する棒状の固定フック２０が前方に向けて突設されている。取っ手溝１４の奥に位置するカバー１２の奥壁１２ｃには、案内面２１ａを有する基台２１が例えば２個の固定ねじ２２により固定されている。基台２１には、レバー２３が上下の支軸２４ａ、２４ｂを介して例えば９０度の範囲で開閉可能に支持されており、レバー２３は支軸２４ａ、２４ｂの間に配置された捩りコイルばね２５によりＣ方向に付勢されている。
【００１０】
レバー２３には可動フック２６が回動可能に支持されており、可動フック２６は棒体を平面「く」の字状かつ側面「コ」の字状に弯曲することにより形成されている。可動フック２６は、間隔を空けて平行に位置する２本の平行部２６ａと、これらの平行部２６ａを連結して固定フック２０の係止部２０ｂに係止する係止部２６ｂと、この係止部２６ｂの反対側で平行部２６ａから上下にそれぞれ屈曲された嵌合部２６ｃとを有している。可動フック２６の嵌合部２６ｃは、支軸２４ａ、２４ｂの近傍においてレバー２３に形成された孔２３ｃに嵌合され、平行部２６ａとレバー２３は引張コイルばね２７により連結され、係止部２６ｂは固定フック２０側に付勢されている。
【００１１】
これらの固定フック２０、レバー２３及び可動フック２６の形状、寸法、強度等や、捩りコイルばね２５と引張コイルばね２７の位置、付勢力等は、次のような作用を呈するように決定されている。つまり、図２に示すようにレバー２３が閉位置にあるとき、レバー２３の外面２３ａはカバー１２の側面１２ａと略一致し、可動フック２６の係止部２６ｂは固定フック２０の係止部２０ｂに係止する。このとき、可動フック２６の歪張力が、固定フック２０を十分に引き寄せると共にレバー２３を閉位置に保持する。
【００１２】
図４に示すように、レバー２３を引張コイルばね２７の付勢力に抗してＣ方向に開くと、最初はレバー２３は可動フック２６の係止部２６ｂを固定フック２０側に付勢し続ける。しかし、レバー２３がその回転力が０となる死点を通過したとき、可動フック２６の歪張力がレバー２３を図５に示すような開位置まで回転させる。このとき、レバー２３の前縁２３ｂはカバー１２の奥壁１２ｃに隣接し、レバー２３はそれ以上に回転することはない。また、可動フック２６の係止部２６ｂは基台２１の案内面２１ａに沿って上方へ移動し、固定フック２０の小径部２０ａから離間しこの状態を保持する。この状態で、カバー１２を前方に引けば、可動フック２６の係止部２６ｂは引っ掛かることなく前方に移動する。
【００１３】
一方、カバー１２を取り付ける際には、上述の手順を逆に進めればよい。即ち、カバー１２をレンズ本体１１に対して十分に差し込んだ後にレバー２３を閉じる。これにより、レバー２３が死点を過ぎた時点で、可動フック２６の歪張力がレバー２３を閉位置まで回転させる。このとき、可動フック２６の係止部２６ｂが案内面２１ａに沿って固定フック２０の小径部２０ａ内に移動し、係止部２６ｂに係止して固定フック２０を引き付ける。
【００１４】
また、図６に示すようにカバー１２をレンズ本体１１に対して十分に押し込まない状態で、図７に示すようにレバー２３を閉じた場合には、レバー２３は死点を越えることができず、レバー２３は開位置に戻る。
【００１５】
このように、実施例ではレバー２３が閉位置にあるときは、その外面２３ａがカバー１２の側面１２ａと略一致しているので、カバー１２には突出部が存在せず、操作者や通行者の衣服を引っ掛けることはない。また、レバー２３の１操作だけで固定フック２０と可動フック２６を係合又は係合解除できるので、カバー１２を迅速に着脱できる。従って、カバー１２の着脱に要する時間が短縮する上に、従来の固定ねじを回す煩わしい動作、固定ねじの閉め忘れ、締め不足等がなくなる。そして、カバー１２が所定位置にないときにレバー２３が開位置に戻るので、カバー１２の取り付け状態を目視で確認でき、カバー１２を確実に固定でき、カバー１２の固定忘れや固定損じがなくなる。
【００１６】
なお実施例では、レバー２３や可動フック２６を付勢するために捩りコイルばね２５や引張コイルばね２７を使用したが、それらは相当する捩り力や引張力を有するものであれば、板ばね等の弾性部材に代替できる。また、固定機構１３をカバー１２の取っ手溝１４に配置したが、図８に示すようにカバー１２’に形成した凹部１５、又は図９に示すようにレンズ本体１１’に形成した凹部１６に配置してもよい。更に、迅速性を無視して突出部をなくすことだけに限定すれば、図１０に示すようにつまみ付きねじ１７をカバー１２の取っ手溝１４の後壁１２ｄに設けるか、或いは図１１に示すようにつまみ付きねじ１８をカバー１２’に形成した凹部１９に設けることができる。
【００１７】
【発明の効果】
以上説明したように本発明に係るテレビレンズ装置のカバー固定機構は、第１のフックと第２のフックを１つの動作で係合又は係合解除するレバーを備えたので、カバーを迅速に脱着できる。また、カバーが所定位置にない場合にレバーを開位置に戻すようにすれば、カバーの固定状態を視認できるので、カバーを確実に固定でき、固定忘れや固定損じを防止できる。
【図面の簡単な説明】
【図１】  実施例の外観斜視図である。
【図２】  図１のＡ−Ａ線に沿った断面図である。
【図３】  図２のＢ−Ｂ線に沿った断面図である。
【図４】  固定機構の作用説明図である。
【図５】  固定機構の作用説明図。
【図６】  カバーが所定位置にない状態の断面図である。
【図７】  カバーが所定位置にないときの作用説明図である。
【図８】  変形例の斜視図である。
【図９】  変形例の斜視図である。
【図１０】  変形例の斜視図である。
【図１１】  変形例の斜視図である。
【図１２】  従来例の斜視図である。
【図１３】  従来例のカバーを取り外した状態の斜視図である。
【符号の説明】
１１、１１’  レンズ本体
１２、１２’  カバー
１３  固定機構
１４  取っ手溝
１５、１６、１９  凹部
２０  固定フック
２１  基台
２１ａ  案内面
２３  レバー
２４ａ、２４ｂ  支軸
２５  捩りコイルばね
２６  可動フック
２６ａ  平行部
２６ｂ  係止部
２６ｃ  嵌合部
２７  引張コイルばね
【図１】
0004401474.tif 000002
【図２】
0004401474.tif 000003
【図３】
0004401474.tif 000004
【図４】
0004401474.tif 000005
【図５】
0004401474.tif 000006
【図６】
0004401474.tif 000007
【図７】
0004401474.tif 000008
【図８】
0004401474.tif 000009
【図９】
0004401474.tif 000010
【図１０】
0004401474.tif 000011
【図１１】
0004401474.tif 000012
【図１２】
0004401474.tif 000013
【図１３】
0004401474.tif 000014